(57)【特許請求の範囲】
【請求項１】
検出器変位信号のゼロ位相時に関連して第１のトリガ信号を発生する第１のトリガ信号発生手段と、基準信号発振回路から送出される基準信号のゼロ位相時に関連して第２のトリガ信号を発生する第２のトリガ信号発生手段と、第１のトリガ信号と第２のトリガ信号との間の時間差を計算する演算手段と演算結果に基づいて、検出器変位信号または基準信号の位相を補正する補正手段と、検出器変位信号と基準信号のうち前記補正手段によって補正された信号と残りの信号を受けて同期整流する同期整流回路とを備えたことを特徴とする同期整流器。
【請求項２】
前記検出器変位信号は、前記基準信号発振回路から送出される基準信号に基づいて差動トランス形式の検出器から得られることを特徴とする請求項１記載の同期整流器。
【発明の詳細な説明】
【０００１】
【発明の利用分野】
本発明は、真円度測定機械、粗さ測定器等の変位を検出器によって検出する際に使用される同期整流器に関する。
【０００２】
【従来の技術】
従来の同期整流器は、代表的には図３に示されるような構成であり、基本信号発振回路１０からの基準信号（図４Ａ）に基づいて検出器１１により検出器変位信号を検出し、この検出器変位信号（図４Ｂ）を後段のアンプ１２に送る。この場合、検出器１１は、差動トランスによって構成され、基本信号発振回路１０の出力である基準信号は、図示しない差動トランスの一次側励振コイルの一つに供給され、もう一つの一次側励振コイルには検出した入力信号が供給され、差動トランスの出力コイルから取り出された信号はアンプ１２の入力側に供給されることになる。
アンプ１２の出力側は、同期整流回路１５の一つの入力側に接続され、この同期整流回路１５の他の入力側には、基本信号発振回路１０の出力（図４Ａ）が位相補正回路１６を介して供給されている。同期整流回路１５は、基本信号発振回路１０の出力（図４Ａ）に基づいてアンプ１２の出力（図４Ｂ）を同期整流して図４Ｃに示されるような検出器変位信号を得る。なお、位相補正回路１６は、基本信号の位相を手動調整できる手動可変抵抗ＶＲを備えている。
【０００３】
【発明が解決しようとする課題】
しかし、このような構成では、図４Ｃに示されるように同期整流後の検出器信号に逆極性の立ち下がり波形Ｐが生じ、これが誤差要因となってしまう。このため、通常位相補正回路１６の手動可変抵抗ＶＲを調整して誤差要因を除去するように個々の波形を観測しながら調整を行わなければならない。特に問題であるのは、この位相補正作業を、イニシアルセッティング時や故障による交換時に毎回行わなければならないことである。
このような問題を解決するために、本発明の目的は、検出器変位信号と基準信号との間の位相ずれを自動的に補正できるようにした同期整流における位相ずれ補正回路を提供するにある。
【０００４】
【課題を解決するための手段】
この目的を達成するため、本発明は、電源投入時の基準信号および検出器変位信号のゼロ位相時にそれぞれトリガ信号を発生するトリガ信号発生回路と、これらのトリガ信号発生回路のトリガ信号間の時間を計測する計測手段と、この計測手段の出力に基づいて基準信号と検出器変位信号との間の位相補正をする位相補正手段と、位相補正された基準信号と検出器変位信号を同期整流する同期整流回路とを供えたことを特徴とする同期整流器が提供される。
【０００５】
【発明の実施の形態】
図１は、本発明による同期整流器の一実施の形態を示しており、前述した図３と同じものあるいは同じ機能を有するものは同符号を用いて示される。図１において、この同期整流器は、基本信号発振回路１０からの信号（図１Ａ）に基づいて検出器１１により検出器変位信号を検出し、この検出器変位信号（図４Ｃ）を後段のアンプ１２に送る。この場合、検出器１１は、差動トランスによって構成され、基本信号発振回路１０の出力は、差動トランスの一次側励振コイルの一つに接続され、もう一つの一次側励振コイルには検出入力信号が供給され、差動トランスの出力コイルがアンプ１２の入力側に接続されている。
【０００６】
アンプ１２の出力側は、同期整流回路１５の入力側に接続され、同期整流回路１５の他の入力側には、基本信号発振回路１０の出力（図２Ａ）が位相補正回路１６を介して供給されている。同期整流回路１５は、基本信号発振回路１０の出力（図２Ａ）に基づいてアンプ１２の出力（図２Ｃ）を同期整流して図４Ｅに示されるような検出器信号を得る。
【０００７】
以上の構成及び動作は、図３に示した従来の構成と同じであるが、本発明の実施の形態は、以下の点において異なる。
すなわち、電源投入時位相補正回路１６の出力は、基本信号発振回路１０の出力と同じであり、図２Ａに示される基本信号がそのまま現れる。この基本信号はトリガ発生回路２１に送られ、ゼロ位相を正の方向に向かって通過するときに立ち上がる基準トリガ信号（図２Ｂ）を発生する。
【０００８】
また、アンプ１２から取り出された検出器変位信号は、トリガ発生回路２２に送られ、検出器変位信号がゼロ位相を正の方向に通過するときに立ち上がる検出パルス信号（図２Ｄ）を発生する。図２Ｂの基準信号に対応した基準トリガ信号と検出トリガ信号との間の時間差（ｔ１）を計測回路２３によって計算し、この時間差ｔ１に応じた位相ずれをＣＰＵ２４とメモリ２５とにより求める。得られた位相ずれは、位相同期回路１６の電子ボリュームＶＲｄに与えられ、基準信号の位相を検出器変位信号の位相に合致するように基準信号の位相が合わせられる。
【０００９】
このような構成にすると、検出器変位信号の基準信号に対する位相ずれを自動的に補正することができ、調整工数を従来よりも少なくでき、また、従来の調整時における調整者によるばらつきがなくなり、安定した位相ずれ補正を行うことができる。また、温度変化、経年変化による位相ずれも補正でき、本発明による同期整流器を用いた装置の安定した精度保証が得られることになる。また、上述したような構成にすると、ＣＰＵ２４により位相補正のＯＮ／ＯＦＦを制御することもできる。このＯＮ／ＯＦＦ制御は、表示装置・入力装置を用いると、ユーザから行うこともできる。
【００１０】
上述した実施の態様では、基準信号発振回路側に位相補正回路を挿入して基準信号の位相を検出器変位信号に合わせるようにしたけれども、検出器変位信号側に位相補正回路を挿入して位相ずれを補正するようにしてもよい。この場合には、ＣＰＵからデジタルノイズが混入する可能性があるため注意が必要である。
【００１１】
【発明の効果】
以上述べたように、本発明による同期整流器を用いれば、検出器変位信号の基準信号に対する位相ずれを自動的に補正することができ、調整工数を従来よりも少なくでき、また、従来の調整時における調整者によるばらつきがなくなり、安定した位相ずれ補正を行うことができる。また、温度変化、経年変化による位相ずれも補正でき、本発明による同期整流器を用いた装置の安定した精度保証が得られることになる
【図面の簡単な説明】
【図１】本発明による同期整流器の一実施の形態を示すブロック構成図である。
【図２】（Ａ）〜（Ｅ）の波形は図１に示される本発明の同期整流器の動作を説明するための波形図である。
【図３】従来の同期整流器の代表的な構成を示すブロック構成図である。
【図４】（Ａ）〜（Ｃ）に示される波形は図３に示される本発明の同期整流器の動作を説明するための波形図である。
【符号の説明】
１０            基準信号発振回路
１１            検出器
１２            アンプ
１５            同期整流回路
１６            位相補正回路
ＶＲ            ボリューム
２１，２２      トリガ発生回路
２３            計測回路
２４            ＣＰＵ
２５            メモリ
電子ＶＲｄ      電子ボリューム
【図１】
0003633405.tif 000002
【図２】
0003633405.tif 000003
【図３】
0003633405.tif 000004
【図４】
0003633405.tif 000005